(57)【要約】【課題】メイン基板に実装されたコネクタの周囲が放熱板により囲まれていても、電子機器の大型化を招くことなく、ＦＰＣに実装された相手側コネクタの位置を接続の際に目で容易に確認することができる仕組みを提供する。【解決手段】電子機器は、コネクタ３０３が実装され、放熱板３０２に覆われて放熱板３０２に形成された切欠き部からコネクタ３０３が露出するメイン基板３０１と、コネクタ３０３に接続される相手側コネクタ４０２が実装されるＦＰＣ４０１とを備える。ＦＰＣ４０１には、相手側コネクタ４０２が実装された位置での幅方向の両側に、信号パターンが配線されていない突起部５０１がそれぞれ前記幅方向に突出して設けられ、突起部５０１の中心と相手側コネクタ４０２の中心とが同一の位置に配置される。【選択図】図３
2013127915.tif 000002
【特許請求の範囲】
【請求項１】
第１のコネクタが実装され、他の部材に覆われて前記他の部材に形成された切欠き部から前記第１のコネクタが露出する第１の基板と、
前記第１のコネクタに接続される第２のコネクタが実装される第２の基板と、を備え、
前記第２の基板には、前記第２のコネクタが実装された位置での幅方向の両側に、信号パターンが配線されていない突起部がそれぞれ前記幅方向に突出して設けられ、前記突起部の中心と前記第２のコネクタの中心とが同一の位置に配置されることを特徴とする電子機器。
【請求項２】
前記第２のコネクタは、平面視して前記第２の基板の幅方向に長い長方形状とされ、前記第２のコネクタの短辺の幅と前記突起部の幅とが同一の長さであることを特徴とする請求項１に記載の電子機器。
【請求項３】
前記第２のコネクタは、前記第２の基板の先端部に実装され、前記切欠き部は、前記第２の基板の先端部の形状に対応する形状とされるとともに、当該切欠き形状に合わせて前記第２の基板の先端部を配置した際に、前記第１のコネクタと前記第２のコネクタとの位置が一致するように形成されることを特徴とする請求項１又は２に記載の電子機器。
【請求項４】
前記第２の基板は、前記第１のコネクタに前記第２のコネクタが接続された状態で、高さ方向で前記他の部材よりも低い位置で前記他の部材との間に隙間を有するように配置されることを特徴とする請求項１乃至３のいずれか一項に記載の電子機器。
【発明の詳細な説明】
【技術分野】
【０００１】
本発明は、例えばデジタルビデオカメラ等の電子機器に関する。
【背景技術】
【０００２】
デジタルビデオカメラ等では、基板間をＢｔｏＢコネクタで接続する際、カメラ本体側の基板に実装されたコネクタの周囲が他の部材により囲まれていると、ＦＰＣ等に実装された相手側コネクタを挿抜する際に、コネクタの位置を目で確認することができない。この為、相手側コネクタの挿抜作業が難しく、また、相手側コネクタを引き抜く際に、コネクタが傾いて片側に過度な力が加わり、コネクタが破損する可能性もある。
【０００３】
そこで、図９に示すように、ＦＰＣ８０１に実装されたＢｔｏＢコネクタ８０２の両端を見え易くするため、ＦＰＣ８０１に穴８０３を形成したものが提案されている。ＦＰＣ８０１には、信号パターン８０４，８０５，８０６が配線され、信号パターン８０４，８０５は、穴８０３を回避してＢｔｏＢコネクタ８０２に接続される。
【０００４】
また、ＦＰＣに、ＦＰＣに実装されたコネクタを超える延長部分を設け、延長部分と、コネクタを挟んで延長部分と反対側のＦＰＣとを同時に引き上げてコネクタを垂直に引き抜くようにした技術が提案されている（特許文献１）。
【先行技術文献】
【特許文献】
【０００５】
【特許文献１】特開２００６−２３６７３１号公報
【発明の概要】
【発明が解決しようとする課題】
【０００６】
しかし、図９に示す従来技術では、ＦＰＣ８０１に形成した穴８０３を回避して信号パターン８０４，８０５を配線する必要があるため、ＦＰＣ８０１の外形が大きくなり、電子機器の大型化を招く原因になる。
【０００７】
また、上記特許文献１では、ＦＰＣに延長部分を設けているため、機器本体に延長部分の収納スペースが必要になり、同様に、電子機器の大型化を招く原因になる。
【０００８】
そこで、本発明は、第１の基板に実装されたコネクタの周囲が他の部材により囲まれていても、電子機器の大型化を招くことなく、第２の基板に実装された相手側コネクタの位置を接続の際に目で容易に確認することができる仕組みを提供することを目的とする。
【課題を解決するための手段】
【０００９】
上記目的を達成するために、本発明の電子機器は、第１のコネクタが実装され、他の部材に覆われて前記他の部材に形成された切欠き部から前記第１のコネクタが露出する第１の基板と、前記第１のコネクタに接続される第２のコネクタが実装される第２の基板と、を備え、前記第２の基板には、前記第２のコネクタが実装された位置での幅方向の両側に、信号パターンが配線されていない突起部がそれぞれ前記幅方向に突出して設けられ、前記突起部の中心と前記第２のコネクタの中心とが同一の位置に配置される。
【発明の効果】
【００１０】
本発明によれば、第１の基板に実装されたコネクタの周囲が他の部材により囲まれていても、電子機器の大型化を招くことなく、第２の基板に実装された相手側コネクタの位置を接続の際に目で容易に確認することができる。
【図面の簡単な説明】
【００１１】
【図１】本発明の電子機器の実施形態の一例であるデジタルビデオカメラの外観斜視図である。
【図２】デジタルビデオカメラの制御系の概略を示すブロック図である。
【図３】外装カバーの一部を取り外した状態のカメラ本体を底面側から見たコネクタ接続前の斜視図である。
【図４】メイン基板側のＢｔｏＢコネクタに、ＦＰＣに実装されたＢｔｏＢコネクタを接続した状態を示す斜視図である。
【図５】（ａ）はＦＰＣをＢｔｏＢコネクタの実装面から見た平面図、（ｂ）は（ａ）の裏面側から見た平面図である。
【図６】図４のＡ部拡大平面図である。
【図７】（ａ）はメイン基板側のＢｔｏＢコネクタにＦＰＣ側のＢｔｏＢコネクタを接続する前の図６のＢ−Ｂ線断面図、（ｂ）はメイン基板側のＢｔｏＢコネクタにＦＰＣ側のＢｔｏＢコネクタを接続した状態での図６のＢ−Ｂ線断面図である。
【図８】メイン基板側のＢｔｏＢコネクタにＦＰＣ側のＢｔｏＢコネクタを接続した状態での図４のＡ部拡大斜視図である。
【図９】従来例を説明するための平面図である。
【発明を実施するための形態】
【００１２】
以下、本発明の実施形態の一例を図面を参照して説明する。
【００１３】
図１は、本発明の電子機器の実施形態の一例であるデジタルビデオカメラの外観斜視図である。
【００１４】
図１に示すように、本実施形態のデジタルビデオカメラ１００は、カメラ本体１０１の側部に、表示ユニット１０２がヒンジ機構１０３を介して回動可能に支持されている。カメラ本体１０１には、メイン基板やサブ基板等が搭載されており、これらの基板は、フレキシブルプリント基板（以下、ＦＰＣという。）を介してＢｔｏＢコネクタにより接続される。
【００１５】
図２は、デジタルビデオカメラ１００の制御系の概略を示すブロック図である。図２において、システム制御部２０６は、デジタルビデオカメラ１００全体を制御する。撮像部２０２は、ＣＣＤセンサやＣＭＯＳセンサ等で構成され、撮影レンズ２０１を通過した光学像を電気信号に変換する。Ａ／Ｄ変換器２０３は、撮像部２０２から出力されるアナログ信号をデジタル信号に変換する。
【００１６】
Ａ／Ｄ変換器２０３からの出力データは、メモリ制御部２０４を介してメモリ２０５に直接書き込まれる。メモリ２０５は、Ａ／Ｄ変換器２０３によりデジタルデータに変換された画像データや、表示ユニット１０２の表示部に表示するための画像データを格納する。
【００１７】
電源制御部２０７は、電池検出回路、ＤＣ−ＤＣコンバータ、通電するブロックを切り替えるスイッチ回路等により構成され、電池の装着の有無、電池の種類、電池残量の検出を行う。また、電源制御部２０７は、その検出結果及びシステム制御部２０６の指示に基づいてＤＣ−ＤＣコンバータを制御し、必要な電圧を必要な期間、各部へ供給する。電源部２０８は、アルカリ電池やリチウム電池等の一次電池やＮｉＣｄ電池やＮｉＭＨ電池、Ｌｉ電池等の二次電池、ＡＣアダプター等からなる。記録媒体２０９は、半導体メモリや磁気ディスク等から構成される。
【００１８】
図３は、外装カバーの一部を取り外した状態のカメラ本体１０１を底面側から見たコネクタ接続前の斜視図である。
【００１９】
図３に示すように、カメラ本体１０１の底部には、メイン基板３０１が固定され、メイン基板３０１は、放熱板３０２により覆われている。放熱板３０２は、メイン基板３０１で発生した熱を放熱する機能、電波に対するシールド機能、及びカバー隙間からの静電気に対する放電機能を有するため、メイン基板３０１の大部分を覆うことが望ましい。
【００２０】
したがって、メイン基板３０１に実装されたＢｔｏＢコネクタ３０３を露出させるために放熱板３０２に形成する切欠き部は、できるだけ小さくする必要がある。本実施形態では、ＢｔｏＢコネクタ３０３の周囲３方向を放熱板３０２で囲むようにしている。ここで、メイン基板３０１は、本発明の第１の基板の一例に相当し、ＢｔｏＢコネクタ３０３は、本発明の第１のコネクタの一例に相当し、放熱板３０２は、本発明の他の部材の一例に相当する。
【００２１】
図４は、メイン基板３０１側のＢｔｏＢコネクタ３０３に、ＦＰＣ４０１に実装されたＢｔｏＢコネクタ４０２を接続した状態を示す斜視図である。本実施形態では、メイン基板３０１側のＢｔｏＢコネクタ３０３に、ＦＰＣ４０１に実装されたＢｔｏＢコネクタ４０２を挿入することで、メイン基板３０１と、記録媒体２０９との接続を行うためのコネクタが実装されたサブ基板４０３と、を電気的に接続する。ここで、ＦＰＣ４０１は、本発明の第２の基板の一例に相当し、ＢｔｏＢコネクタ４０２は、本発明の第２のコネクタの一例に相当する。
【００２２】
図４の状態では、上述したように、メイン基板３０１側のＢｔｏＢコネクタ３０３の周囲の３方向は、放熱板３０２で囲まれ、残る１方向には、ＦＰＣ４０１が配置される。このため、メイン基板３０１側のＢｔｏＢコネクタ３０３に対してＦＰＣ４０１側のＢｔｏＢコネクタ４０２を挿抜する際に、コネクタ接続位置を目で確認することができない。そこで、本実施形態では、次のようにして、この問題を解消している。
【００２３】
図５（ａ）はＦＰＣ４０１をＢｔｏＢコネクタ４０２の実装面から見た平面図、図５（ｂ）は図５（ａ）の裏面側から見た平面図である。
【００２４】
図５（ａ）に示すように、ＢｔｏＢコネクタ４０２は、平面視してＦＰＣ４０１の幅方向に長い長方形状をなしており、ＦＰＣ４０１のＢｔｏＢコネクタ４０２の長手方向の両側には、それぞれ突起部５０１がＦＰＣ４０１の幅方向外方に突出して形成されている。突起部５０１の幅ｈは、ＢｔｏＢコネクタ４０２の短辺の長さＨと略同一の長さとされ、また、突起部５０１の中心は、ＢｔｏＢコネクタ４０２の短辺の中心と略同一の位置に配置されている。
【００２５】
このように、ＦＰＣ４０１に突起部５０１を形成することにより、図４（ｂ）に示すように、ＦＰＣ４０１に実装されたＢｔｏＢコネクタ４０２を目視することができなくても、ＢｔｏＢコネクタ４０２の位置を把握することができる。このため、メイン基板３０１側のＢｔｏＢコネクタ３０３にＢｔｏＢコネクタ４０２を接続する際に、ＦＰＣ４０１のどの部分を押せばよいのかを容易に把握して確認することができ、コネクタの破損を防ぐことができる。
【００２６】
また、突起部５０１には、信号パターンが配線されていないため、ピンセット等を突起部５０１に引っかけてＦＰＣ４０１側のＢｔｏＢコネクタ４０２を傾けることなく引き抜くことが可能となる。このため、ＢｔｏＢコネクタ４０２を過度な力が加えることなく引き抜くことができ、コネクタの破損を防ぐことができる。
【００２７】
図６は図４のＡ部拡大平面図、図７（ａ）はメイン基板３０１側のＢｔｏＢコネクタ３０３にＦＰＣ４０１側のＢｔｏＢコネクタ４０２を接続する前の図６のＢ−Ｂ線断面図である。
【００２８】
図６及び図７（ａ）に示すように、メイン基板３０１側のＢｔｏＢコネクタ３０３を露出させるために放熱板３０２に形成される切欠き部の形状は、ＦＰＣ４０１側のＢｔｏＢコネクタ４０２が実装された先端部の形状に対応する形状とされている。
【００２９】
そして、放熱板３０２の切欠き部は、当該切欠き形状に合わせてＦＰＣ４０１の先端部を配置することで、メイン基板３０１側のＢｔｏＢコネクタ３０３とＦＰＣ４０１側のＢｔｏＢコネクタ４０２との位置が略一致するように形成されている。このため、放熱板３０２の切欠き部に対してＦＰＣ４０１の先端部を位置決めすることで、ＢｔｏＢコネクタ３０３にＢｔｏＢコネクタ４０２を接続する前に、ＢｔｏＢコネクタ３０３とＢｔｏＢコネクタ４０２とを略同じ位置に配置することができる。
【００３０】
図７（ｂ）は、メイン基板３０１側のＢｔｏＢコネクタ３０３にＦＰＣ４０１側のＢｔｏＢコネクタ４０２を接続した状態での図６のＢ−Ｂ線断面図である。図８は、メイン基板３０１側のＢｔｏＢコネクタ３０３にＦＰＣ４０１側のＢｔｏＢコネクタ４０２を接続した状態での図４のＡ部拡大斜視図である。
【００３１】
図７（ｂ）及び図８に示すように、ＢｔｏＢコネクタ３０３にＢｔｏＢコネクタ４０２を接続した後は、ＦＰＣ４０１は、高さ方向で放熱板３０２よりも低い位置で放熱板３０２との間に隙間αを有するように配置される。この隙間αにより、デジタルビデオカメラ１００に振動や衝撃が加わって放熱板３０２が図４の矢印Ｃ方向に移動しても、ＦＰＣ４０１に干渉するのを回避することができ、コネクタ３０３，４０２の破損を防ぐことができる。
【００３２】
以上説明したように、本実施形態では、メイン基板３０１側のＢｔｏＢコネクタ３０３の周囲が放熱板３０２により囲まれていても、カメラの大型化を招くことなく、ＦＰＣ４０１側のＢｔｏＢコネクタ４０２の位置を接続の際に目で容易に確認することができる。
【００３３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００３４】
１００  デジタルビデオカメラ
１０１  カメラ本体
３０１  メイン基板
３０３  ＢｔｏＢコネクタ
４０１  ＦＰＣ
４０２  ＢｔｏＢコネクタ
４０３  サブ基板
５０１  突起部
【図１】
2013127915.tif 000003
【図２】
2013127915.tif 000004
【図３】
2013127915.tif 000005
【図４】
2013127915.tif 000006
【図５】
2013127915.tif 000007
【図６】
2013127915.tif 000008
【図７】
2013127915.tif 000009
【図８】
2013127915.tif 000010
【図９】
2013127915.tif 000011